(57)【要約】【課題】あらゆる種類の封筒の封緘に対応可能な最大長さの目盛を備える粘着テープカッターを提供することを目的とする。【解決手段】粘着テープ収納部２，１２と、粘着テープ５を切断する切刃３，１３と、前記粘着テープ収納部内に回転可能に配置されると共に粘着テープを支持する粘着テープリール４，１４と、前記粘着テープと平行な方向に引き出すことができる巻尺テープ７，１７を有する巻尺６，１６とを備える粘着テープカッター。【選択図】図２
2004131199.tif 000002
【特許請求の範囲】
【請求項１】
粘着テープ収納部と、
粘着テープを切断する切刃と、
前記粘着テープ収納部内に回転可能に配置されると共に粘着テープを支持する粘着テープリールと、
前記粘着テープと平行な方向に引き出すことができる巻尺テープを有する巻尺と、を備えた粘着テープカッター。
【請求項２】
前記巻尺は、巻尺テープが粘着テープと重ならないように、粘着テープに対して前後方向にずらして配置されていることを特徴とする請求項１記載の粘着テープカッター。
【請求項３】
前記巻尺テープを引き出した状態で任意の位置にロック可能であることを特徴とする請求項１記載の粘着テープカッター。
【請求項４】
前記巻尺テープは引き出されて直線状態を保つように、幅方向に湾曲した形状であることを特徴とする請求項１記載の粘着テープカッター。
【発明の詳細な説明】
【０００１】
【発明の属する技術分野】
本発明は粘着テープカッターに関する。
【０００２】
【従来の技術】
粘着テープカッターの使用目的は様々であるが、特に封筒の封緘部に粘着テープを貼り付けるために頻繁に用いられている。封筒の種類は長型、角型、洋封筒等があるが、各種類の封筒にそれぞれ各種の寸法のものが存在する。
【０００３】
従って、封筒を封緘する際には、粘着テープカッターに支持された粘着テープをその封緘部の寸法に合わせて引き出し、粘着テープカッターの切刃によって切断する必要がある。
【０００４】
しかしながら、テープの引き出し量を封緘部の寸法に一致させるのは難しく、短すぎると封緘が不完全となり、逆に長すぎるとその部分を切断する等の処理が必要となる。
【０００５】
このため、実公平１−７５０６２号公報に開示されているように直線状の定規を粘着テープカッターに取り付けたり、実公平２−２２９６８号公報に開示されているように粘着テープカッター本体に目盛を設けることが提案されている。
【０００６】
【発明が解決しようとする課題】
上記公報に開示されている粘着テープカッターの場合、引き出された粘着テープが定規または粘着テープカッター本体の目盛の上方に位置することになるため切断しにくいのみならず、粘着テープが定規または粘着テープ本体に付着する可能性が高い。
【０００７】
また、対応可能な封筒は定規またはテープカッター本体に設けられた目盛の最大長さ以下の封緘部の寸法のものに限定されるが、いずれの公報に開示されている粘着テープカッターの場合も、その構造上、目盛の最大長さは限定される。　本発明の目的は、あらゆる大きさの封筒の封緘に対応可能な目盛を備えた粘着テープカッターを提供することにある。
【０００８】
本発明の他の目的は、切断の際に粘着テープが目盛或いは本体に付着することのない粘着テープカッターを提供することにある。
【０００９】
【課題を解決するための手段】
上記目的を達成するため、請求項１記載の発明によれば、粘着テープ収納部２，１２と、粘着テープ５，１５を切断する切刃３，１３と、前記粘着テープ収納部内に回転可能に配置されると共に粘着テープを支持する粘着テープリール４，１４と、前記粘着テープと平行な方向に引き出すことができる巻尺テープ７，１７を有する巻尺６，１６と、を備えた粘着テープカッター１，１１が提供される。
【００１０】
請求項２記載の発明によれば、前記巻尺は、巻尺テープが粘着テープと重ならないように粘着テープに対して前後方向にずらして配置されていることを特徴とする請求項１記載の粘着テープカッターが提供される。
【００１１】
請求項３記載の発明によれば、前記巻尺テープを引き出した状態で任意の位置にロック可能であることを特徴とする請求項１記載の粘着テープカッターが提供される。
【００１２】
請求項４記載の発明によれば、前記巻尺テープは引き出されて直線状態を保つように、幅方向に湾曲した形状であることを特徴とする請求項１記載の粘着テープカッターが提供される。
【００１３】
【発明の実施の形態】
以下、図面に示した実施形態に基づいて本発明を詳細に説明する。
【００１４】
図１及び図２は第１の実施形態によるテープカッター１を斜め前方から見た斜視図である。このテープカッター１はテープ収納部２を形成され、長手方向の一端側に切刃３を設けられ、他端側に粘着テープリール４を回転可能に支持している。粘着テープリール４はテープ収納部２内に配置され、粘着テープ５を支持する。粘着テープリール４は、テープカッター１の長手方向と直交する方向（前後方向）の後方に配置されている。
【００１５】
テープカッター１には巻尺６が内蔵されている。巻尺６は巻尺テープ７とリセットボタン８を備えている。この巻尺６は、テープカッター１の長手方向の一端側且つ該長手方向と直交する方向（前後方向）の後方に配置されている。従って、巻尺６は、巻尺テープ７が粘着テープ５と上下方向に重ならないように、粘着テープ５に対して後方にずらして配置されて内蔵されていることになる。
【００１６】
巻尺テープ７は、引き出されて直線状態を保つものであり、好ましくは幅方向に湾曲した鋼鉄製のものである。巻尺テープ７の先端にはフック部材７Ａが設けられている。図示した例ではフック部材７Ａとして、うさぎのキャラクターを表現した人形を用いているが、この他様々な形状のものを用いることができる。巻尺テープ７上の目盛の表示は通常の長さ表示（ｍｍ等）でもよいが、封筒の大きさ、例えば長１、長２、長３・・・、角０、角１、角２、角３、角４、角４Ａ・・・等の文字を表示すると、切断する際に便利となる。
【００１７】
巻尺６は、更に図示しないロック手段を備え、引き出された巻尺テープ７は、このロック手段によりロックされている。そして、リセットボタン８を押すことにより、ロック手段によるロックが解除されて巻尺テープ７は図示しないバネにより、テープカッター１内に復帰する。このような機能のロック手段及びリセットボタン８は各種のタイプのものが公知であり、本実施形態ではそれら公知の各種のものを用いることができる。
【００１８】
封筒の封緘部に粘着テープを貼り付けるため上記構成のテープカッター１を用いる際には、図２に示すように巻尺テープ７を封緘部の寸法に合わせて引き出す。次いで、粘着テープ５をフック部材７Ａの位置まで引き出して切刃３によって切断する。前述のように、巻尺６は、テープカッター１の前方に配置され、粘着テープリール４は後方に配置されているので、巻尺６と粘着テープ５とが上下に重なることはない。従って、切断の際に粘着テープが目盛に付着することがない。
【００１９】
巻尺６はその性質上、小型のものでも最大長さをかなり長くすることができるので、あらゆる大きさの封筒の封緘に対応可能である。例えば最大長さが約５０ｃｍもあれば殆どの大きさの封筒の封緘に対応可能である。封緘作業が終了後、リセットボタン８を押すと、巻尺テープ７がテープカッター１内へ復帰する。なお、巻尺テープ７が引き出された状態のままにしておくことも勿論可能である。
【００２０】
図３及び図４は、本発明の第２の実施形態によるテープカッター１１を斜め後方から見た斜視図である。このテープカッター１１は、巻尺１６の構造が図１及び図２に示した第１の実施形態によるテープカッター１の場合と異なり、他は同一である。従って、以下においては、第１の実施形態と異なる点のみを説明する。
【００２１】
この実施形態の巻尺１６は、図示しないロック手段を備え、引き出された巻尺テープ１７は、操作ボタン１８を一方向（図示した例では上方）に押すと、巻尺テープ１７はロック手段によりその位置にロックされる。操作ボタン１８を反対方向に押すと、ロックが解除されて巻尺テープ１７は図示しないバネにより、テープカッター１１内に復帰する。このような機能を有するロック手段及び操作ボタン８は各種のタイプのものが公知であり、本実施形態ではそれら公知の各種のものを用いることができる。なお、巻尺テープ１７の先端に設けられたフック部材７Ａとして、ゴリラのキャラクターを表現した人形を用いている。
【００２２】
封筒の封緘部に粘着テープを貼り付けるため上記構成のテープカッター１１を用いる際には、図４に示すように巻尺テープ１７を封緘部の寸法に合わせて引き出して操作ボタン１８を上方に押して巻尺テープ１７をその位置にロックする。次いで、粘着テープ１５をフック部材１７Ａの位置まで引き出して切刃１３によって切断する。前述のように、巻尺１６は、テープカッター１１の後方に配置され、粘着テープリール１４は前方に配置されているので、巻尺１６と粘着テープ１５とが上下に重なることはない。従って、第１の実施の形態と同様、切断の際に粘着テープが目盛に付着することがない。
【００２３】
また、第１の実施の形態と同様の理由により、あらゆる大きさの封筒の封緘に対応可能である。封緘作業が終了後、操作ボタン１８を下方に押すと、巻尺テープ１７がテープカッター１１内へ復帰する。なお、巻尺テープ１７が引き出された状態のままにしておくことも勿論可能である。
【００２４】
以上、本発明を図面に示した２つの実施形態に基づいて説明したが、本発明はこれらの実施形態には限定されず、種々変形可能である。
【００２５】
例えば、巻尺６，１６がテープカッター１，１１に内蔵されている例を示したが、内蔵に限らず、外付けであってもよく、例えばテープカッター１，１１の側面或いは上面に取り付けることができる。
【００２６】
また、粘着テープリール４，１４が、テープカッター１，１１の長手方向と直交する方向（前後方向）の前方に配置され、巻尺６，１６が、テープカッター１，１１の後方に配置されている例を示したが、巻尺テープ７，１７が上下方向に粘着テープ５，１５と重ならないように、粘着テープ５，１５に対して前後方向にずらして配置されて内蔵されていればよい。例えば、粘着テープリール４，１４が、テープカッター１，１１の長手方向と直交する方向（前後方向）の中央部に配置され、巻尺６，１６が、テープカッター１，１１の後方に配置されていてもよい。或いは粘着テープリール４，１４が、テープカッター１，１１の長手方向と直交する方向（前後方向）の前方に配置され、巻尺６，１６が、テープカッター１，１１の中央部に配置されていてもよい。
【００２７】
【発明の効果】
請求項１記載の発明による粘着テープカッターは、粘着テープと平行な方向に引き出すことができる巻尺テープを有する巻尺とを備えるが、巻尺は目盛テープが巻かれている性質上、測定可能な最大長さを長くすることができ、あらゆる大きさの封筒の封緘に対応可能である。
【００２８】
請求項２記載の発明による粘着テープカッターは、前記巻尺は、巻尺テープが粘着テープと重ならないように粘着テープに対して前後方向にずらして配置されて内蔵されている。このため、引き出された粘着テープが目盛の上方ではなく前後にずれて位置することとなり、切断の邪魔にはならず、また、粘着テープが巻尺テープに付着することもない。
【００２９】
請求項３記載の発明によれば、前記巻尺テープを引き出した状態で任意の位置にロック可能であるので、巻尺テープ引き出し、粘着テープ引き出し及び切断の作業を片手で簡単に行なうことができる。
【００３０】
請求項４記載の発明によれば、前記引き出した状態で巻尺テープが垂れ下がらないので、粘着テープの測長を確実に行なうことができる。
【図面の簡単な説明】
【図１】第１の実施形態による粘着テープカッターを斜め前方から見た斜視図である。
【図２】粘着テープ及び巻尺テープを引き出した状態における第１の実施形態による粘着テープカッターを斜め前方から見た斜視図である。
【図３】第２の実施形態による粘着テープカッターを斜め後方から見た斜視図である。
【図４】粘着テープ及び巻尺テープを引き出した状態における第２の実施形態による粘着テープカッターを斜め前方から見た斜視図である。
【符号の説明】
１　粘着テープカッター
２　粘着テープ収納部
３　切刃
４　粘着テープリール
５　粘着テープ
６　巻尺
７　巻尺テープ
７Ａ　フック部材
８　リセットボタン
１１　粘着テープカッター
１２　粘着テープ収納部
１３　切刃
１４　粘着テープリール
１５　粘着テープ
１６　巻尺
１７　巻尺テープ
１７Ａ　フック部材
１８　操作ボタン
【図１】
2004131199.tif 000003
【図２】
2004131199.tif 000004
【図３】
2004131199.tif 000005
【図４】
2004131199.tif 000006